(57)【要約】【課題】  従来、火災防止検知装置等は一定の広さの建物に対して強制的に取付けられてきたが、最近は家庭にも普及してきた。しかし、システムが複雑であり、コスト高となること、大型の設備となり設備の供給に手間がかかること等の問題があった。【解決手段】  電池又は外部電源により作動する電源部と、一定以上の温度、煙、ガス漏れのうち少なくとも１つのセンサーを有する異常感知部と、異常を感知した場合、警報音を発する警報発信部と、警報を発すると共に、外部へ信号を発信できる信号発信部と、外部へ発信された信号を受信できる受信部と、信号を受信すると、信号により接続されたカメラが起動され、撮影、録画を行うカメラ制御部と、撮影、録画された映像を指定した電話番号・メールアドレスに送信する送信部を有し、安価で簡易に火災防止検知装置の設置が可能、家屋の種類を選ばないこと、状況の把握が素早くできること等の特徴がある。【選択図】          図１
0003102897.tif 000002
【実用新案登録請求の範囲】
【請求項１】
電池又は外部電源により作動する電源部と、一定以上の温度、煙、ガス漏れのうち少なくとも１つのセンサーを有する異常感知部と、前記異常感知部により、一定以上の温度、煙、ガス漏れのうち少なくとも１つを感知した場合、警報音を発する警報発信部と、前記警報発信部により警報を発すると共に、予め指定しておいた電話番号・メールアドレスに送信する送信部、とを有する家庭用火災防止検知装置。
【請求項２】
電池又は外部電源により作動する電源部と、一定以上の温度、煙、ガス漏れのうち少なくとも１つのセンサーを有する異常感知部と、前記異常感知部により、一定以上の温度、煙、ガス漏れのうち少なくとも１つを感知した場合、警報音を発する警報発信部と、前記警報発信部により警報を発すると共に、外部へ信号を発信することができる信号発信部と、前記信号発信部より外部へ発信された信号を受信することができる受信部と、前記受信部により信号を受信すると、信号により接続されたカメラが起動され、撮影、録画を行うカメラ制御部と、前記カメラ制御部により撮影、録画された映像を予め指定しておいた電話番号・メールアドレスに送信する送信部、とを有する家庭用火災防止検知装置。
【請求項３】
家庭用火災防止検知装置は、壁掛け式であることを特徴とする請求項１及び２に記載の家庭用火災防止検知装置。
【考案の詳細な説明】
【技術分野】
【０００１】
本考案は、家庭用火災防止検知装置に関する。
【背景技術】
【０００２】
従来、火災防止検知装置等は一定の広さの建物に対して強制的に取り付けられてきた。最近になり、危機管理意識の高まりもあり、一般住宅への火災防止検知装置の取付けを義務化する動きも出てきている。また、現在使用されている家庭用火災防止検知装置は、自宅等に火災検知用のセンサーを設置し、これらセンサーからの異常信号を検知した場合に、自宅内に設置された発信装置から予め契約された警備会社等に電話回線を通じて信号を送信し、警備会社等において電話連絡をし、必要に応じて現場に駆けつける等の対処をしていた。
【０００３】
従来の技術として、例えば、特許文献１：特開２００２−２６０１２８「異常報知システム」及び、特許文献２：特開２００１−１２７８９７「携帯電話ホームコントロールシステム」が挙げられる。
【０００４】
特許文献１は、監視領域（カメラ有）での異常発生の有無を監視する異常監視手段と、異常監視手段から入力される監視情報を処理する制御部と、複数の場所に設置・携帯され、監視情報を受信し、監視領域の状況を監視する情報端末と、複数の制御部及び情報端末を接続するネットワークを備える構成である。
【０００５】
特許文献２は、ホームコントロールユニットの制御部は、携帯電話から受信した遠隔制御情報から被制御装置の機器番号と制御パラメータを抽出し、指定された被制御装置を制御し、動作状態をメモリに格納し、携帯電話へ返送する。センサが火災、ガス漏れ等を検出した時は制御部へ通知し、制御部は応答／警報情報メモリから対応する警報情報を読出し、通報先メモリに登録されている携帯電話及び消防署等の非常通報システムへ警報を通知する構成である。
【０００６】
【特許文献１】特開２００２−２６０１２８
【特許文献２】特開２００１−１２７８９７
【考案の開示】
【考案が解決しようとする課題】
【０００７】
特許文献１は、カメラ等を使用して監視可能であるが、システムが複雑であり、コスト高となること、大型の設備となり、設備の供給に手間がかかること等の問題がある。
【０００８】
特許文献２は、遠隔制御が可能であるが、システムが複雑であり、コスト高となること、また、警察署・消防署へ自動的に通報されるので、問題が大きくなりやすいこと、大型の設備となり、設備の供給に手間がかかること等の問題がある。
【０００９】
本考案は上記問題点を解決し、安価で簡易に設置できる家庭用火災防止検知装置であること、低コスト化、簡易な設定が可能であること等の特徴がある。
【課題を解決するための手段】
【００１０】
請求項１の考案は、温度、煙、ガス漏れ等全ての火災要因を検知でき、安価で簡易に火災防止検知装置の設置が可能であること、低コスト化が可能であること、家屋の種類を選ばずに、火災防止検知装置の設置が可能であること等の特徴がある。
【００１１】
請求項１は、電池又は外部電源により作動する電源部と、一定以上の温度、煙、ガス漏れのうち少なくとも１つのセンサーを有する異常感知部と、異常感知部により、一定以上の温度、煙、ガス漏れのうち少なくとも１つを感知した場合、警報音を発する警報発信部と、警報発信部により警報を発すると共に、予め指定しておいた電話番号・メールアドレスに送信する送信部、とを有する家庭用火災防止検知装置。
【００１２】
請求項２の考案は、請求項１の考案の特徴に加えて、映像を送信できるので状況の把握が素早くできること、等の特徴がある。
【００１３】
請求項２は、電池又は外部電源により作動する電源部と、一定以上の温度、煙、ガス漏れのうち少なくとも１つのセンサーを有する異常感知部と、異常感知部により、一定以上の温度、煙、ガス漏れのうち少なくとも１つを感知した場合、警報音を発する警報発信部と、警報発信部により警報を発すると共に、外部へ信号を発信することができる信号発信部と、信号発信部より外部へ発信された信号を受信することができる受信部と、受信部により信号を受信すると、信号により接続されたカメラが起動され、撮影、録画を行うカメラ制御部と、カメラ制御部により撮影、録画された映像を予め指定しておいた電話番号・メールアドレスに送信する送信部、とを有する家庭用火災防止検知装置である。
【００１４】
請求項３の考案は、簡易に設置できること、室内・室外を問わず、設置が可能であること等の特徴がある。
【００１５】
請求項３に記載の考案は、家庭用火災防止検知装置は、壁掛け式であることを特徴とする家庭用火災防止検知装置である。
【考案の効果】
【００１６】
請求項１は、電池又は外部電源により作動する電源部と、一定以上の温度、煙、ガス漏れのうち少なくとも１つのセンサーを有する異常感知部と、異常感知部により、一定以上の温度、煙、ガス漏れのうち少なくとも１つを感知した場合、警報音を発する警報発信部と、警報発信部により警報を発すると共に、予め指定しておいた電話番号・メールアドレスに送信する送信部、とを有する家庭用火災防止検知装置であり、安価で簡易に火災防止検知装置の設置が可能であること、家屋の種類を選ばずに、火災防止検知装置の設置が可能であること等の特徴がある。
【００１７】
請求項２は、電池又は外部電源により作動する電源部と、一定以上の温度、煙、ガス漏れのうち少なくとも１つのセンサーを有する異常感知部と、異常感知部により、一定以上の温度、煙、ガス漏れのうち少なくとも１つを感知した場合、警報音を発する警報発信部と、警報発信部により警報を発すると共に、外部へ信号を発信することができる信号発信部と、信号発信部より外部へ発信された信号を受信することができる受信部と、受信部により信号を受信すると、信号により接続されたカメラが起動され、撮影、録画を行うカメラ制御部と、カメラ制御部により撮影、録画された映像を予め指定しておいた電話番号・メールアドレスに送信する送信部とを有する家庭用火災防止検知装置であり、安価で簡易に火災防止検知装置の設置が可能であること、家屋の種類を選ばずに、火災防止検知装置の設置が可能であること、映像を送信できるので状況の把握が素早くできること等の特徴がある。
【００１８】
請求項３は、家庭用火災防止検知装置は、壁掛け式であることを特徴とする家庭用火災防止検知装置であり、簡易に設置できること、室内・室外を問わず、設置が可能であること等の特徴がある。
【実施例】
【００１９】
本考案の一実施例を図面を基に説明する。
【００２０】
図１は本考案の家庭用火災防止検知装置の火災検知装置本体１を表した正面図である。火災検知装置本体１は、一定以上の温度、煙、ガス漏れのうち少なくとも１つのセンサーを有する異常感知部３と、一定以上の温度、煙、ガス漏れを感知した場合、警報音を発する警報発信部４と、警報を発すると共に、外部へ信号を発信することができる信号発信部とで構成されている。
【００２１】
設定値以上の温度、煙・ガス漏れによる設定値以上の空気の汚染があると、異常感知部３が感知した場合、警報発信部４により警報が発信される。この警報はブザー音、サイレン音、ベル音等、特に限定されないが、非常に大きな音を発することが可能である。この警報音により、後述する携帯電話やパソコンへの連絡以外にも、周囲の人間に警報音を出すことによって異常を知らせることが可能である。なお、異常感知部３はおよそ半径１０ｍ程度まで異常を感知することができるが、特に限定されない。
【００２２】
また、警報を発すると同時又は直後に、外部又は近くにあるカメラ付き火災防止検知装置本体５に対して、信号を発信することが可能である。カメラ付き火災防止検知装置本体５は火災検知装置本体１と有線又は無線で連繋されており、瞬時に連繋が可能である。
【００２３】
異常感知部３は、一定以上の温度差、煙の濃度やガス漏れによる空気の汚染状況等を感知するものであり、一定以上の温度の設定、どの程度空気が汚染されると異常とみなし警報音が鳴るのか、等は自由に設定でき、特に限定されない。また、温度、煙、ガス漏れ等の異常の原因によって警報音を変えることも可能である。２は電源ランプであり、電源のＯＮ／ＯＦＦ状態を確認することができる。電源は電池やバッテリー又はコンセント等による外部からの電源でもよい。
【００２４】
図２は本考案のカメラ付き火災防止検知装置本体５の正面図であり、信号を受信することができる受信部と、受信された信号により接続されたカメラが起動され、撮影、録画を行うカメラ制御部と、カメラ制御部により撮影、録画された映像を予め指定しておいた電話番号・メールアドレスに送信する送信部とで構成される。
【００２５】
前記のようにして、火災防止検知装置本体１より発信された信号を受信することによって、カメラ付き火災防止検知装置本体５のカメラ６が起動され、室内の状況を録画・撮影する。なお、図示しないが、カメラ６はレンズの角度をセンサーにより、一定以上の温度、一定以上の煙又はガス濃度の発生箇所に自動的に向けることが可能である。カメラ６により録画、撮影された映像はカメラ制御部により保存され、送信部により予め指定しておいた電話番号・メールアドレスに送信する。カメラ制御部はカメラによる撮影、録画、カメラの向きの制御、録画時間の制御、ピント合わせ、音量等の制御が可能である。また、温度、煙、ガス漏れ等の異常の原因によって送信先、送信音を変えることも可能であり、自動的に消防署・警察署へ連絡することも可能である。
【００２６】
なお、火災防止検知装置本体１に送信部を設けて、火災防止検知装置本体１から直接、指定しておいた電話番号・メールアドレスに送信することもできる。その際は撮影、録画した映像を送信することはできないが、素早く異常を知らせることができる。
【００２７】
また、図２の吊り下げ部７によって簡易にカメラ付き火災防止検知装置本体５を室内に設置することが可能である（図５参照）。なお、図１及び図３の火災防止検知装置本体１及びカメラ付き火災防止検知本体５の背面にも吊り下げ部７があるが、図示しない。壁掛け式以外にも載置型、貼付け型等も可能である。また、図６のように室外にも設置することが可能である。
【００２８】
図４は、火災防止検知装置本体１及びカメラ付き火災防止検知装置本体５から携帯電話８に通信する際の模式図である。前記のようにカメラ付き火災防止検知装置本体５からだけでなく、火災防止検知装置本体１に送信部を設けることによって、直接、携帯電話８に異常を知らせることが可能である。Ｈは家である。
【図面の簡単な説明】
【００２９】
【図１】火災防止検知装置本体を表す正面図である。
【図２】カメラ付き火災防止検知装置本体を表す正面図である。
【図３】他のカメラ付き火災防止検知装置を表す正面図である。
【図４】火災防止検知装置と携帯電話との通信を表す模式図である。
【図５】火災防止検知装置の室内での設置を表した図である。
【図６】火災防止検知装置の室外での設置を表した図である。
【符号の説明】
【００３０】
１  火災防止検知装置本体
２  電源ランプ
３  異常感知部
４  警報発信部
５  カメラ付き火災防止検知装置本体
６  カメラ
７  吊り下げ部
８  携帯電話
Ｈ  家
【図１】
0003102897.tif 000003
【図２】
0003102897.tif 000004
【図３】
0003102897.tif 000005
【図４】
0003102897.tif 000006
【図５】
0003102897.tif 000007
【図６】
0003102897.tif 000008